(57)【特許請求の範囲】
【請求項１】
相対する長辺外枠と相対する短辺外枠とから構成された外周枠と、相対する短辺外枠を連結するとともに長辺外枠に平行な架橋枠部材と、長辺外枠と架橋枠部材とを連結するとともに短辺外枠に平行な複数の仕切り枠とにより構成されたパック用中仕切りであって、前記外周枠と仕切り枠とにより形成される仮想水平面より下方に延在する、前記架橋枠部材を形成する略Ｕ字状の架橋部の下面、前記相対する短辺外枠の一方の短辺外枠の両端部に垂設された角部下延脚部の下面及び前記仕切り枠と長辺外枠との連結部のうち、前記角部下延脚部が垂設されている短辺外枠から数えて、一つ置きの連結部が位置する長辺外枠に垂設された長辺外枠側下延脚部の下面が、全て、平坦に形成されていることを特徴とするパック用中仕切り。
【請求項２】
長辺外枠側上延脚部に、指や引っ掛け具が挿入可能な透孔が形成されていることを特徴とする請求項１に記載のパック用中仕切り。
【発明の詳細な説明】
【０００１】
【発明の属する技術分野】
本発明は、青果や野菜や食料品や小型機械部品や日用雑貨等の種々の物品を、箱型のパックに詰めた後に、このように種々の物品が詰められたパックを、コンテナーに収容する際に、パックが、コンテナー内で移動し、干渉し合わないように、パックを収納し、保持するためのパック用中仕切りに関するものである。
【０００２】
【従来の技術】
従来、縦枠と横枠を適当に配置し、縦枠と横枠とりより形成された方形状の空間部に、パックが収納されるように構成されているとともに、縦枠と横枠の上下面の適当な箇所に、円錐状の支柱を突設したパック用中仕切りが知られており（例えば、特開平２０００−６２７８１号公報等）、パック用中仕切りは、中空で円錐状の支柱を介して、上下方向に積み重ねることができるとともに、積み重ね状態から、反転させることにより、パック用中仕切り同士が、薄く、コンパクトに積み重ねられるように構成されている。
【０００３】
【発明が解決しようとする課題】
上述した従来の縦枠と横枠の上下面に円錐状の支柱が形成されているパック用中仕切りにおいては、下に位置するパック用中仕切りに、物品が詰められたパックを収納し、次いで、下に位置するパック用中仕切りの縦枠と横枠の上面に突設された円錐状の支柱の上端と、上に位置するパック用中仕切りの縦枠と横枠の下面に突設された円錐状の支柱の下端とを、位置合わせしながら、当接させて、円錐状の支柱を介して、下に位置するパックが収納されたパック用中仕切りの上に、上に位置するパック用中仕切りを積み重ねる作業に際に、下に位置するパック用中仕切りの縦枠と横枠の上面に突設された円錐状の支柱の上端と、上に位置するパック用中仕切りの縦枠と横枠の下面に突設された円錐状の支柱の下端との位置合わせがうまくいかず、上に位置するパック用中仕切りの縦枠と横枠の下面に突設された円錐状の支柱が、下に位置するパック用中仕切りに保持されているパックに詰められた物品に当たり、物品が損傷するという問題があった。
【０００４】
また、従来のパック用中仕切りに形成されている支柱は、中空の円錐状に形成されているので、支柱の中に入った埃や異物等を洗浄するのに、相当の時間と労力を要するとともに、十分な洗浄を行うことができないという問題があった。
【０００５】
更には、コンテナーから、パックが収納されたパック用中仕切りを取り出す取り出し作業の際に、従来のパック用中仕切りには把持部がないために、コンテナーからのパック用中仕切りが、取り出し難いという問題があった。
【０００６】
本発明の目的は、上述した従来のパック用中仕切りが有する課題を解決することにある。
【０００７】
【課題を解決するための手段】
本発明は、上述した目的を達成するために、第１には、相対する長辺外枠と相対する短辺外枠とから構成された外周枠と、相対する短辺外枠を連結するとともに長辺外枠に平行な架橋枠部材と、長辺外枠と架橋枠部材とを連結するとともに短辺外枠に平行な複数の仕切り枠とにより構成されたパック用中仕切りであって、前記外周枠と仕切り枠とにより形成される仮想水平面より下方に延在する、前記架橋枠部材を形成する略Ｕ字状の架橋部の下面、前記相対する短辺外枠の一方の短辺外枠の両端部に垂設された角部下延脚部の下面及び前記仕切り枠と長辺外枠との連結部のうち、前記角部下延脚部が垂設されている短辺外枠から数えて、一つ置きの連結部が位置する長辺外枠に垂設された長辺外枠側下延脚部の下面を、全て、平坦に形成したものであり、第２には、長辺外枠側上延脚部に、指や引っ掛け具が挿入可能な透孔を形成したものである。
【０００８】
【実施例】
以下に、本発明の実施例について説明するが、本発明の趣旨を越えない限り何ら、本実施例に限定されるものではない。
【０００９】
本発明のパック用中仕切りは、額縁状に形成された外周枠１を有しており、外周枠１は、一方の相対する長辺外枠１ａと、もう一方の相対する短辺外枠１ｂとから構成されている。また、外周枠１内には、相対する短辺外枠１ｂを連結するとともに、長辺外枠１ａに平行な架橋枠部材２が形成されており、更に、長辺外枠１ａと架橋枠部材２を連結するとともに、短辺外枠１ｂに平行な複数の仕切り枠３が、等間隔に形成されている。本実施例には、相対する短辺外枠１ｂの中間を連結する１本の架橋枠部材２が形成されている例が示されているが、等間隔に２本以上形成することもできるし、また、仕切り枠３が、４本形成されている例が示されているが、同様に、等間隔に、２本以上、適当本数、形成することができる。なお、以下においては、架橋枠部材２が１本、そして、仕切り枠３が４本形成されている例を用いて、本実施例を説明する。
【００１０】
外周枠１と、架橋枠部材２と、仕切り枠３とにより囲まれた空間部４に、箱型のパックＰが挿入され、パックＰの開口部フランジｐ１が、外周枠１や架橋枠部材２や仕切り枠３に載置されて、パックＰが、パック用中仕切りに収納されるように構成されている。
【００１１】
外周枠１の４つの角部１’のうち、相対する短辺外枠１ｂの一方の短辺外枠１ｂの両端部、換言すれば、相対する一対の長辺外枠１ａの対向する端部に位置する角部１’には、下方に延在する角部下延脚部５ａが垂設されている。また、仕切り枠３と長辺外枠１ａとの連結部のうち、角部下延脚部５ａが垂設された短辺外枠１ｂから数えて、一つ置きの連結部が位置する長辺外枠１ａには、下方に延在する長辺外枠側下延脚部５ｂが垂下されている。角部下延脚部５ａと長辺外枠側下延脚部５ｂとは、略同じ高さに形成されている。
【００１２】
角部下延脚部５ａは、長辺外枠１ａの長手方向に沿った側壁５ａ１と、長辺外枠１ａの長手方向に垂直な側壁５ａ２と、側壁５ａ１、５ａ２の下端を連結する、平面形状が方形状の下面が平坦な底部５ａ３とを有しており、底部５ａ３の側壁５ａ１、５ａ２と連接されていない縁部には、側壁５ａ１、５ａ２より低い底部側壁５ａ４が形成されている。また、長辺外枠側下延脚部５ｂは、長辺外枠１ａの長手方向に沿った側壁５ｂ１と、長辺外枠１ａの長手方向に垂直な相対する側壁５ｂ２と、側壁５ｂ１、５ｂ２の下端を連結する、平面形状が方形状の下面が平坦な底部５ｂ３とを有しており、底部５ｂ３の側壁５ｂ１、５ｂ２と連接されていない縁部には、側壁５ｂ１、５ｂ２より低い底部側壁５ｂ４が形成されている。更に、長辺外枠側下延脚部５ｂの底部５ｂ３には、嵌合孔５ｂ３’が穿設されており、嵌合孔５ｂ３’は、洗浄作業の際に使用される洗浄水の逃げ孔としても機能する。
【００１３】
また、角部下延脚部５ａが垂設されていない、もう一方の短辺外枠１ｂの両端部、換言すれば、もう一方の長辺外枠１ａの対向する端部に位置する角部１”には、上方に延在する、内部が空洞で底無しの角部上延脚部５ｃが立設されている。角部上延脚部５ｃは、長辺外枠１ａの長手方向に沿った側壁５ｃ１と、長辺外枠１ａの長手方向に垂直な側壁５ｃ２と、側壁５ｃ１、５ｃ２の下端を連結する天部５ｃ３とを有しており、天部５ｃ３の縁部からは、天部庇部５ｃ４が垂下されている。
【００１４】
また、仕切り枠３と長辺外枠１ａとの連結部のうち、上述した長辺外枠側下延脚部５ｂが垂設されていない連結部が位置する長辺外枠１ａには、上方に延在する、内部が空洞で底無しの長辺外枠側上延脚部５ｄが立設されている。長辺外枠側上延脚部５ｄの天部５ｄ１には、嵌合凸部５ｄ２が突設されており、上述した長辺外枠側下延脚部５ｂの底部５ｂ３に穿設された嵌合孔５ｂ３’が嵌合可能なように構成されている。長辺外枠側上延脚部５ｄの長辺外枠１ａに沿った側壁５ｄ３には、透孔５ｄ３’が穿設されており、透孔５ｄ３’に、作業者が、指を入れたり、引っ掛け具を挿入し、引っ掛け具を、長辺外枠側上延脚部５ｄに引っ掛けることにより、コンテナーへのパック用中仕切りの収容作業或いはコンテナーからのパック用中仕切りの取り出し作業の作業性が向上するように構成されている。なお、５ｄ４は、長辺外枠１ａの長手方向に垂直な相対する側壁であり、５ｄ５は、底部５ｄ１の縁部から垂下された天部庇部である。
【００１５】
架橋枠部材２は、角部上延脚部５ｃが立設された短辺外枠１ｂと該短辺外枠１ｂに隣接する仕切り枠３との間において、外周枠１と仕切り枠３とにより形成される仮想水平面より下方に略Ｕ字状に湾曲した端部寄り架橋部２ａと、上記仕切り枠３と上記仕切り枠３から一つ置いて配置された仕切り枠３との間に、同様に、外周枠１と仕切り枠３とにより形成される仮想水平面より下方に略Ｕ字状に湾曲した中間部架橋部２ｂと、角部上延脚部５ｃが立設されていない、もう一方の短辺外枠１ｂと該短辺外枠１ｂから一つ置いて配置された仕切り枠３との間に、同様に、外周枠１と仕切り枠３とにより形成される仮想水平面より下方に略Ｕ字状に湾曲した端部寄り架橋部２ｃとを有している。端部寄り架橋部２ａ、中間部架橋部２ｂ及び端部寄り架橋部２ｃの下面は、上述した角部下延脚部５ａと長辺外枠側下延脚部５ｂの下面より、若干、上方に位置するように形成されている。角部上延脚部５ｃが立設された短辺外枠１ｂと該短辺外枠１ｂに隣接する仕切り枠３との間に位置する端部寄り架橋部２ａは、角部上延脚部５ｃが立設されていない、もう一方の短辺外枠１ｂと該短辺外枠１ｂから一つ置いて配置された仕切り枠３との間に位置する端部寄り架橋部２ｃに比べて、長辺外枠１ａに沿った長さが、略半分に形成されており、長さの長い端部寄り架橋部２ｃと中間部架橋部２ｂとは、同じ長さに形成されている。
【００１６】
また、架橋枠部材２の中間部架橋部２ｂと一方の端部寄り架橋部２ａとの連結部２ｄの上面、及び、中間部架橋部２ｂともう一方の端部寄り架橋部２ｃとの連結部２ｅの上面には、内部が空洞の円錐台状の支柱６が立設されており、支柱６の天部６ａには、十字状の凸部６ｂが形成されており、また、支柱６の周壁６ｃの適当な箇所には、切り欠き開口６ｄが形成されている。なお、支柱６に形成された嵌合用の凸部６ｂは、上記のように十字状に限定されることなく、方形状や円形状等、種々の形状とすることができる。上記の連結部２ｄ、２ｅと所定の仕切り枠３とが連結されている。なお、上述した長辺外枠側上延脚部５ｄの長辺外枠１ａに沿った側壁５ｄ３に穿設された透孔５ｄ３’と同様に、切り欠き開口６ｄに、作業者が、引っ掛け具を挿入し、引っ掛け具を、支柱６に引っ掛けることにより、コンテナーへのパック用中仕切りの収容作業或いはコンテナーからのパック用中仕切りの取り出し作業の作業性が向上することになる。
【００１７】
架橋枠部材２の中間部架橋部２ｂには、上端において、上述した仕切り枠３と連結される立て壁２ｂ１が形成されており、相対する立て壁２ｂ１は、外側、即ち、短辺外枠１ｂ方向に、若干、傾斜して形成されており、相対する立て壁２ｂ１と中間部架橋部２ｂの下面が平坦な底部２ｂ２とにより、中間部嵌合凹部２ｂ３が形成されている。同様に、角部上延脚部５ｃが立設されていない短辺外枠１ｂ側の端部寄り架橋部２ｃにも、上端において、上述した仕切り枠３と連結される立て壁２ｃ１が形成されており、相対する立て壁２ｃ１は、外側、即ち、短辺外枠１ｂ方向に、若干、傾斜して形成されており、相対する立て壁２ｃ１と端部寄り架橋部２ｃの下面が平坦な底部２ｃ２とにより、端部寄り嵌合凹部２ｃ３が形成されている。また、角部上延脚部５ｃが立設された短辺外枠１ｂ側の端部寄り架橋部２ａの短辺外枠１ｂ側にも、立て壁２ａ１が形成されており、相対する立て壁２ａ１は、外側、即ち、短辺外枠１ｂ方向に、若干、傾斜して形成されており、相対する立て壁２ａ１と端部寄り架橋部２ａの下面が平坦な底部２ａ２とにより、端部寄り嵌合凹部２ａ３が形成されている。
【００１８】
更に、角部上延脚部５ｃが立設されていない短辺外枠１ｂ側の端部寄り架橋部２ｃと短辺外枠１ｂとの連結部２ｆの上面には、内部が空洞で、天部７ａが平坦な角錐台状の支柱７が立設されており、角錐台状の支柱７は、架橋枠部材２の中間部架橋部２ｂと一方の端部寄り架橋部２ａとの連結部２ｄの上面、及び、中間部架橋部２ｂともう一方の端部寄り架橋部２ｃとの連結部２ｅの上面に突設された円錐台状の支柱６と同じ高さに形成されている。なお、角錐台状の支柱７は、角部上延脚部５ｃや長辺外枠側下延脚部５ｂと略同じ高さに形成されている。
【００１９】
中間部架橋部２ｂの底部２ｂ２の中央部には、中間部架橋部２ｂと長さの長い端部寄り架橋部２ｃとの連結部２ｅの上面に突設された支柱６の天部６ａに形成された十字状の凸部６ｂが嵌合される、十字状の透孔２ｂ２’が穿設されており、また、長さの長い端部寄り架橋部２ｃの底部２ｃ２の中央部にも、中間部架橋部２ｂと長さの短い端部寄り架橋部２ａとの連結部２ｄの上面に突設された支柱６の天部６ａに形成された十字状の凸部６ｂが嵌合される、十字状の透孔２ｃ２’が穿設されている。なお、上記の透孔２ｂ２’、２ｃ２’の形状は、十字状に限定されることなく、支柱６に形成される凸部６ｂの形状に合わせて、方形状や円形状等、種々の形状にすることができる。
【００２０】
上述したように、一方の端部寄り架橋部２ａと中間部架橋部２ｂと一方の端部寄り架橋部２ｃとにより構成された架橋枠部材２により、短辺外枠１ｂと仕切り枠３が連結されている。架橋枠部材２を構成する端部寄り架橋部２ａ、中間部架橋部２ｂ及び端部寄り架橋部２ｃには、外周枠１と仕切り枠３とにより形成される仮想水平面より下方に略Ｕ字状に湾曲して形成されており、そして、端部寄り架橋部２ａの底部２ａ２、中間部架橋部２ｂの底部２ｂ２及び端部寄り架橋部２ｃの底部２ｃ２は、いずれも、その下面が平坦に形成されている。
【００２１】
長辺外枠１ａの両端部付近及び仕切り枠３の端部近傍を挟むような位置にある長辺外枠１ａには、必要に応じて、その外側に位置する側面に水平方向に延在する凸部８を形成することが好ましく、また、凸部８は、長辺外枠側下延脚部５ｂや長辺外枠側上延脚部５ｄを挟むように形成されることが好ましい。凸部８を形成することにより、長辺外枠１ａを補強することができる。
【００２２】
また、端部寄り架橋部２ａ底部２ａ２、中間部架橋部２ｂの底部２ｂ２及び端部寄り架橋部２ｃの底部２ｃ２には、洗浄作業の際に使用される洗浄水の逃げ孔としても機能する透孔９を穿設する。また、同様に、長辺外枠１ａや短辺外枠１ｂや凸部８等にも、洗浄水の逃げ孔としても機能する透孔９を、適宜、穿設する。
【００２３】
次に、上述した構成を有するパック用中仕切りにパックを収納し、更に、その上に、パック用中仕切りを積み重ねる手段について説明する。
【００２４】
先ず最初に、パック用中仕切りを、２個の角部下延脚部５ａ及び４個の長辺外枠側下延脚部５ｂが、床や作業台に載置されるように配置する。この状態で、外周枠１と架橋枠部材２と仕切り枠３とにより囲まれて形成された空間部４（本実施例においては、１０個の空間部が形成されている。）に、箱型のパックＰを挿入し、パックＰの開口部フランジｐ１を、外周枠１や架橋枠部材２や仕切り枠３に載置するようにして、パックＰを、パック用中仕切りに収納する。
【００２５】
次いで、図４に示されているように、下に位置するパック用中仕切りと同じ向きに配置されたパック用中仕切りを、水平面に１８０度回転させて、下に位置するパック用中仕切りの上方に配置する。その後、上に配置するパック用中仕切りを、下に位置するパック用中仕切りの上に重ねると、下に位置するパック用中仕切りの角部上延脚部５ｃの上端面に、上に位置するパック用中仕切りの角部下延脚部５ａの下端面が載置され、また、下に位置するパック用中仕切りの長辺外枠側上延脚部５ｄの上端面に、上に位置するパック用中仕切りの長辺外枠側下延脚部５ｂの下端面が載置され、更に、下に位置するパック用中仕切りの支柱７の上端面に、上に位置するパック用中仕切りの端部寄り架橋部２ａの下面が載置されるとともに、下に位置するパック用中仕切りの円錐台状の支柱６の天部６ａに形成された十字状の凸部６ｂが、上に位置するパック用中仕切りの中間部架橋部２ｂの底部２ｂ２に穿設された十字状の透孔２ｂ２’及び端部寄り架橋部２ｃの底部２ｃ２に穿設された十字状の透孔２ｃ２’に嵌合し、更には、下に位置するパック用中仕切りの長辺外枠側上延脚部５ｄの先端面に突設された嵌合凸部５ｄ２が、上に位置するパック用中仕切りの長辺外枠側下延脚部５ｂの底部５ｂ３に穿設された嵌合孔５ｂ３’に嵌合されるように構成されている。このようにして、図５に示されているように、下に位置するパック用中仕切りに対して、上に位置するパック用中仕切りが積み重ねられることになる。
【００２６】
上述したようにして、下に位置するパック用中仕切りに積み重ねられた、上に位置するパック用中仕切りの空間部４に、箱型のパックＰを挿入し、パックＰの開口部フランジｐ１を、外周枠１や架橋枠部材２や仕切り枠３に載置するようにして、パックＰを、上に位置するパック用中仕切りに収納する。
【００２７】
更に、上に位置するパック用中仕切りに、もう１個、パック用中仕切りを載置するには、上述したと同様に、上に位置するパック用中仕切りと同じ向きに配置されたパック用中仕切りを、水平面に１８０度回転させた状態で、上に位置するパック用中仕切りの上に重ねる。このようにして、必要に応じて、適当数のパックＰが収納されたパック用中仕切りを積み重ねる。
【００２８】
上述したようにして、複数個、積み重ねられ、パックＰが収納されたパック用中仕切りは、コンテナーに収容されることになる。
【００２９】
本発明においては、下に位置するパックが収納されたパック用中仕切りに対して、上に位置するパック用中仕切りを載置する積み重ね作業の際に、下に位置するパック用中仕切りに収納されたパックに詰められた物品と対向する上方に位置する上に位置するパック用中仕切りは、端部寄り架橋部２ａの下面が平坦な底部２ａ２、中間部架橋部２ｂの下面が平坦な底部２ｂ２、上記より長い端部寄り架橋部２ｃの下面が平坦な底部２ｃ２、角部下延脚部５ａの下面が平坦な底部５ａ３及び長辺外枠側下延脚部５ｂの下面が平坦な底部５ｂ３であり、上述した従来のパック用中仕切りのように、円錐状の支柱が形成されていないので、下に位置するパック用中仕切りに収納されたパックに詰められた物品が、損傷されるようなことがない。
【００３０】
特に、下に位置するパックが収納されたパック用中仕切りに対して、上に位置するパック用中仕切りを載置する積み重ね作業の際に、下に位置するパック用中仕切りに収納されたパックに詰められた物品に当接し易い、上方に位置する上に位置するパック用中仕切りの中央部は、端部寄り架橋部２ａの下面が平坦な底部２ａ２、中間部架橋部２ｂの下面が平坦な底部２ｂ２及び上記より長い端部寄り架橋部２ｃの下面が平坦な底部２ｃ２であり、従って、このような平坦な底部２ａ２、２ｂ２、２ｃ２が、下に位置するパック用中仕切りに収納されたパックに詰められた物品に当接したとしても、物品が損傷されるようなことがない。
【００３１】
また、下に位置するパックが収納されたパック用中仕切りの円錐台状の支柱６の天部６ａに形成された十字状の凸部６ｂを、上に位置するパック用中仕切りの中間部架橋部２ｂの底部２ｂ２に穿設された十字状の透孔２ｂ２’及び端部寄り架橋部２ｃの底部２ｃ２に穿設された十字状の透孔２ｃ２’に嵌合する嵌合作業の際にも、中間部架橋部２ｂの底部２ｂ２及び底部２ｃ２の下面が平坦に形成されているので、上に位置するパック用中仕切りの中間部架橋部２ｂの底部２ｂ２及び端部寄り架橋部２ｃの底部２ｃ２を、下に位置するパックが収納されたパック用中仕切りの円錐台状の支柱６の凸部６ｂに載置し、その後、上に位置するパック用中仕切りを水平方向に、適宜、移動させることにより、下に位置するパックが収納されたパック用中仕切りの円錐台状の支柱６の天部６ａに形成された十字状の凸部６ｂを、上に位置するパック用中仕切りの中間部架橋部２ｂの底部２ｂ２に穿設された十字状の透孔２ｂ２’及び端部寄り架橋部２ｃの底部２ｃ２に穿設された十字状の透孔２ｃ２’に容易に嵌合することができる。
【００３２】
下に位置するパックが収納されたパック用中仕切りの円錐台状の支柱６の天部６ａに形成された十字状の凸部６ｂが、上に位置するパック用中仕切りの中間部架橋部２ｂの底部２ｂ２に穿設された十字状の透孔２ｂ２’及び端部寄り架橋部２ｃの底部２ｃ２に穿設された十字状の透孔２ｃ２’に嵌合されれば、必然的に、下に位置するパック用中仕切りの長辺外枠側上延脚部５ｄの先端面に突設された嵌合凸部５ｄ２が、上に位置するパック用中仕切りの長辺外枠側下延脚部５ｂの底部５ｂ３に穿設された嵌合孔５ｂ３’に嵌合されるように構成されている。このような十字状の凸部６ｂと十字状の透孔２ｂ２’、２ｃ２’との嵌合及び嵌合凸部５ｄ２と嵌合孔５ｂ３’との嵌合は、上述したようにして積み重ねられた複数のパック用中仕切りを、コンテナーに収容する際に、パック用中仕切りが水平方向に移動し、ずれおちないように、パック用中仕切りの水平移動を規制する機能を有するものであり、従って、必ずしも、十字状の凸部６ｂと十字状の透孔２ｂ２’、２ｃ２’との嵌合及び嵌合凸部５ｄ２と嵌合孔５ｂ３’との嵌合の両方の嵌合手段を設ける必要はなく、パック用中仕切りの円錐台状の支柱６の天部６ａに形成された十字状の凸部６ｂと中間部架橋部２ｂの底部２ｂ２に穿設された十字状の透孔２ｂ２’及び端部寄り架橋部２ｃの底部２ｃ２に穿設された十字状の透孔２ｃ２’とのみを設けることも、また、パック用中仕切りの長辺外枠側上延脚部５ｄの先端面に突設された嵌合凸部５ｄ２と長辺外枠側下延脚部５ｂの底部５ｂ３に穿設された嵌合孔５ｂ３’とのみを設けるように構成することもできる。
【００３３】
下に位置するパックが収容されていない空のパック用中仕切りに対して、同じ向きに、上方に位置する空のパック用中仕切りを配置し、そのまま、上方に位置するパック用中仕切りを下降させると、上に位置するパック用中仕切りの角部下延脚部５ａが、下に位置するパック用中仕切りの角部下延脚部５ａの側壁５ａ１、５ａ２と底部５ａ３とにより形成される凹部に挿入され、また、上方に位置するパック用中仕切りの長辺外枠側下延脚部５ｂが、下に位置するパック用中仕切りの長辺外枠側下延脚部５ｂの側壁５ｂ１、５ｂ２及び底部５ｂ３とにより形成される凹部に挿入され、更に、上方に位置するパック用中仕切りの端部寄り架橋部２ａ、中間部架橋部２ｂ及び端部寄り架橋部２ｃが、下に位置するパック用中仕切りの端部寄り嵌合凹部２ａ３、中間部嵌合凹部２ｂ３及び端部寄り嵌合凹部２ｃ３に挿入され、更にまた、上方に位置するパック用中仕切りの円錐台状の支柱６の内部空洞に、下に位置するパック用中仕切りの円錐台状の支柱６が挿入され、なお更に、上方に位置するパック用中仕切りの角錐台状の支柱７の内部空洞に、下に位置するパック用中仕切りの角錐台状の支柱７が挿入され、従って、図６に示されているように、下に位置する空のパック用中仕切りと上方に位置する空のパック用中仕切りとを、全体の高さが低くなるように、重ねるとができるように構成されている。
【００３４】
上述した構成を有するパック用中仕切りは、射出成形やブロー成形等の適当な成形装置により、合成樹脂により、一体に成形されることが好ましい。
【００３５】
【発明の効果】
本発明は、以上説明した構成を有しているので、以下に記載する効果を奏するものである。
【００３６】
下に位置するパックが収納されたパック用中仕切りに対して、上に位置するパック用中仕切りを載置する積み重ね作業の際に、下に位置するパック用中仕切りに収納されたパックに詰められた物品と対向する、上方に位置するパック用中仕切りの架橋枠部材及び下方に延在する脚部は、その底部下面が平坦に形成されているので、パック用中仕切りの積み重ね作業中に、下に位置するパック用中仕切りに収納されたパックに詰められた物品が損傷するようなことが防止できる。
【００３７】
下に位置するパックが収納されたパック用中仕切りの支柱に形成された嵌合凸部を、上に位置するパック用中仕切りの架橋枠部材の底部に形成された透孔に嵌合する際に、架橋枠部材の底部下面が平坦に形成されているので、上に位置するパック用中仕切りの架橋枠部材の底部を、下に位置するパックが収納されたパック用中仕切りの円錐台状の支柱に載置し、その後、上に位置するパック用中仕切りを水平方向に、適宜、移動させることにより、下に位置するパックが収納されたパック用中仕切りの円錐台状の支柱に形成された凸部を、上に位置するパック用中仕切りの架橋枠部材の底部に穿設された透孔に容易に嵌合することができ、従って、パック用中仕切りの積み重ね作業の作業性が向上する。
【００３８】
長辺外枠側上延脚部に、指や引っ掛け具が挿入可能な透孔を形成したので、コンテナーへのパック用中仕切りの収容作業或いはコンテナーからのパック用中仕切りの取り出し作業の作業性が向上する。
【図面の簡単な説明】
【図１】図１は本発明のパック用中仕切りの斜視図である。
【図２】図２は本発明のパック用中仕切りの裏面からの斜視図である。
【図３】図３は本発明の上下方向に配置された２個のパック用中仕切りの部分斜視図である。
【図４】図４は本発明の上下方向に配置された２個のパック用中仕切りの積み重ね前の斜視図である。
【図５】図５は本発明の２個のパック用中仕切りが積み重ねられた状態の斜視図である。
【図６】図６は本発明の２個のパック用中仕切りが重ねられた状態の斜視図である。
【符号の説明】
１・・・・・・・・・外周枠
１ａ・・・・・・・・長辺外枠
１ｂ・・・・・・・・短辺外枠
２・・・・・・・・・架橋枠部材
３・・・・・・・・・仕切り枠
【図１】
0003914706.tif 000002
【図２】
0003914706.tif 000003
【図３】
0003914706.tif 000004
【図４】
0003914706.tif 000005
【図５】
0003914706.tif 000006
【図６】
0003914706.tif 000007